(57)【要約】【課題】番組の輝度ダイナミックレンジを容易に認識できる受信装置を提供する。【解決手段】受信装置は、輝度ダイナミックレンジに関する情報を含むサービス情報を取得するサービス情報処理部と、前記サービス情報処理部が取得した前記サービス情報から前記輝度ダイナミックレンジに関する情報を抽出し、当該抽出した輝度ダイナミックレンジに関する情報に基づいて、番組の輝度ダイナミックレンジを示すインジケータを生成する表示情報生成部と、前記表示情報生成部が生成した前記インジケータを、前記インジケータが対応する輝度ダイナミックレンジの輝度で表示部に表示させる表示処理部と、を備える。【選択図】  図２
2017184206.tif 000002
【特許請求の範囲】
【請求項１】
輝度ダイナミックレンジに関する情報を含むサービス情報を取得するサービス情報処理部と、
前記サービス情報処理部が取得した前記サービス情報から前記輝度ダイナミックレンジに関する情報を抽出し、当該抽出した輝度ダイナミックレンジに関する情報に基づいて、番組の輝度ダイナミックレンジを示すインジケータを生成する表示情報生成部と、
前記表示情報生成部が生成した前記インジケータを、前記インジケータが対応する輝度ダイナミックレンジの輝度で表示部に表示させる表示処理部と、
を備える受信装置。
【請求項２】
前記インジケータとは、前記番組がハイダイナミックレンジ放送サービスの番組であるか否かを示すロゴであって、白部分と黒部分とで、輝度ダイナミックレンジを示すロゴである
請求項１に記載の受信装置。
【請求項３】
前記インジケータとは、輝度ダイナミックレンジを示すグレースケールである
請求項１に記載の受信装置。
【請求項４】
前記インジケータとは、前記番組の受信チャンネルを示すロゴであって、白部分と黒部分とで、輝度ダイナミックレンジを示すようにしたロゴである
請求項１に記載の受信装置。
【請求項５】
前記表示処理部は、前記インジケータを、前記番組に切り替わってから所定時間表示させる
請求項１から請求項４のいずれか一項に記載の受信装置。
【請求項６】
前記表示処理部は、前記インジケータを、受信チャンネルが切り替わってから所定時間表示させる
請求項１から請求項４のいずれか一項に記載の受信装置。
【請求項７】
輝度ダイナミックレンジに関する情報を含むサービス情報を取得するサービス情報取得部と、
前記サービス情報をコンテンツに多重化する多重化部と、
を備える送信装置。
【請求項８】
コンピュータに、
輝度ダイナミックレンジに関する情報を含むサービス情報を取得する第１ステップと、
前記第１ステップにおいて取得した前記サービス情報から前記輝度ダイナミックレンジに関する情報を抽出し、当該抽出した輝度ダイナミックレンジに関する情報に基づいて、番組の輝度ダイナミックレンジを示すインジケータを生成する第２ステップと、
前記第２ステップにおいて生成した前記インジケータを、前記インジケータが対応する輝度ダイナミックレンジの輝度で表示部に表示させる第３ステップと、
を実行させるためのプログラム。
【発明の詳細な説明】
【技術分野】
【０００１】
本発明は、受信装置、送信装置、及びプログラムに関する。
【背景技術】
【０００２】
放送の高度化の一環として、従来よりも広い範囲の輝度を再現することができるＨＤＲ（Ｈｉｇｈ  Ｄｙｎａｍｉｃ  Ｒａｎｇｅ；ハイダイナミックレンジ、高ダイナミックレンジ、広帯域ダイナミックレンジとも呼ばれる）放送サービスが提案されている。ＨＤＲ放送サービスでは、従来から採用されているＳＤＲ（Ｓｔａｎｄａｒｄ  Ｄｙｎａｍｉｃ  Ｒａｎｇｅ；通常ダイナミックレンジ）映像信号よりも大幅に広い範囲の輝度を表現することができる。このＨＤＲ放送サービスは、いわゆる４Ｋ／８Ｋ解像度の超高精細テレビジョン放送（ＵＨＤＴＶ：Ｕｌｔｒａ  Ｈｉｇｈ  Ｄｅｆｉｎｉｔｉｏｎ  Ｔｅｌｅｖｉｓｉｏｎ）サービスと合わせて運用されることが予定されている。
【先行技術文献】
【特許文献】
【０００３】
【特許文献１】特開平１１−５５５８７号公報
【特許文献２】特開２０１０−１１３２８８号公報
【発明の概要】
【発明が解決しようとする課題】
【０００４】
ところで、ＨＤＲの番組の映像データ（ＨＤＲフォーマット）と、ＳＤＲの番組の映像データ（ＳＤＲフォーマット）とが混在して放送される状況では、現在受信されている番組のフォーマットがＨＤＲフォーマットであるのか、ＳＤＲフォーマットであるのかを、ユーザーが即座に判断することができない可能性がある。例えば、暗いシーンでは、ＳＤＲの番組とＨＤＲの番組との輝度の差が分り難いことが考えられる。この場合、ユーザーは、番組のフォーマットを判断することは難しい。また、ユーザーがＨＤＲフォーマットであることを認識できたとしても、最大でどの程度の輝度で表示されるのかを判断することは難しい。そのため、ＨＤＲの番組の明るいシーンでは、ユーザーの想像以上の輝度になり、ユーザーを驚かせてしまう可能性がある。
【０００５】
この点、特許文献１には、番組のネットワーク名とロゴマークを表示することが記載されている。しかしながら、輝度に関する表示は行っていないため、ユーザーは、番組のフォーマットや、実際に表示される番組の輝度を感覚的に判断することができない。また、特許文献２には、輝度をヒストグラムで表示することが記載されている。このようなヒストグラムでは、輝度の分布を認識することはできるかもしれないが、実際に表示される番組の輝度を感覚的に判断することができない。
以上のように、ユーザーは、表示中の番組がどのようなフォーマットであるかを判断したり、どの程度の輝度で表示されるのかを判断したりできない場合があった。
【０００６】
上述の課題を鑑み、本発明は、番組の輝度ダイナミックレンジを容易に認識可能にする受信装置、送信装置、及びプログラムを提供することを目的とする。
【課題を解決するための手段】
【０００７】
上述の課題を解決するために、本発明の一態様は、輝度ダイナミックレンジに関する情報を含むサービス情報を取得するサービス情報処理部と、前記サービス情報処理部が取得した前記サービス情報から前記輝度ダイナミックレンジに関する情報を抽出し、当該抽出した輝度ダイナミックレンジに関する情報に基づいて、番組の輝度ダイナミックレンジを示すインジケータを生成する表示情報生成部と、前記表示情報生成部が生成した前記インジケータを、前記インジケータが対応する輝度ダイナミックレンジの輝度で表示部に表示させる表示処理部と、を備える受信装置である。
【発明の効果】
【０００８】
本発明によれば、表示部に、輝度ダイナミックレンジを示すインジケータが表示される。これにより、ユーザーは、視聴している番組がＨＤＲ放送番組か、ＳＤＲ放送番組であるかを容易に知ることができる。また、このインジケータは、視聴している番組の輝度ダイナミックレンジを示しているので、ユーザーは、画面の明るさがどの程度変化するかを知ることができる。
【図面の簡単な説明】
【０００９】
【図１】本発明の一実施形態に係る放送システムの構成を示す概略ブロック図である。
【図２】同実施形態に係る受信装置の輝度ダイナミックレンジを示す画面表示の一例の説明図である。
【図３】同実施形態に係る送信装置の構成を示す概略ブロック図である。
【図４】同実施形態に係る受信装置の構成を示す概略ブロック図である。
【図５】同実施形態に係るＭＨ−ＥＩＴのデータ構造の一例を示す図である。
【図６】同実施形態に係るビデオコンポーネント記述子のデータ構造の一例を示す図である。
【図７】同実施形態に係る映像信号伝達特性の設定値の一例を示す図である。
【図８】同実施形態に係る輝度ダイナミックレンジの表示処理を示すフローチャートである。
【図９】同実施形態に係る輝度ダイナミックレンジ表示画面の一例の説明図である。
【図１０】同実施形態に係る輝度ダイナミックレンジ表示画面の一例での輝度ダイナミックレンジの識別の説明図である。
【図１１】同実施形態に係る輝度ダイナミックレンジ表示画面の他の例の説明図である。
【図１２】同実施形態に係る輝度ダイナミックレンジ表示画面の他の例での輝度ダイナミックレンジの識別の説明図である。
【図１３】同実施形態に係る輝度ダイナミックレンジ表示画面の更に他の例の説明図である。
【図１４】同実施形態に係る輝度ダイナミックレンジ表示画面の更に他の例での輝度ダイナミックレンジの識別の説明図である。
【発明を実施するための形態】
【００１０】
以下、本発明の実施の形態について図面を参照しながら説明する。
（放送システムの概要）
まず、本発明の第１の実施形態に係る放送システム１の概要について説明する。
図１は、本実施形態に係る放送システム１の構成を示す概略ブロック図である。
放送システム１は、送信装置１０と受信装置２０とを含んで構成される。
送信装置１０は、放送番組のコンテンツを表す番組データを、放送伝送路ＢＴを介して受信装置に送信する。コンテンツとして、映像と音声が含まれる。放送伝送路ＢＴは、番組データを不特定多数の受信装置２０に一方的かつ一斉に送信する伝送路である。放送伝送路ＢＴは、例えば、所定の周波数帯域を有する放送波である。放送伝送路ＢＴは、放送波を中継する放送衛星ＢＳを含んで構成されてもよい。放送伝送路ＢＴには、その一部にネットワーク、例えば、専用回線、ＶＰＮ（Ｖｉｒｔｕａｌ  Ｐｒｉｖａｔｅ  Ｎｅｔｗｏｒｋ）が含まれてもよい。受信装置２０は、放送伝送路ＢＴを介して伝送された番組データを受信する。受信装置２０は、受信した番組データに基づく映像を表示する。受信装置２０は、例えば、テレビジョン受信装置、セットトップボックスなど、番組データを受信し、受信した番組データに係る映像を表示部に表示することができる電子機器である。
【００１１】
図１に示す送信装置１０、受信装置２０の数は、それぞれ１個であるが、一般には複数である。また、放送システム１は、メディアトランスポート方式としてＭＭＴ（ＭＰＥＧ  Ｍｅｄｉａ  Ｔｒａｎｓｐｏｒｔ）方式を用いる場合を例にする。
【００１２】
放送システム１は、輝度ダイナミックレンジが、互いに異なる複数の放送番組を放送することができる。言い換えれば、放送システム１において、ＨＤＲ放送番組とＳＤＲ放送番組が放送される。ＨＤＲ放送番組は、輝度範囲がＨＤＲであるＨＤＲ映像を構成要素として含む放送番組である。ＳＤＲ放送番組は、輝度範囲がＳＤＲであるＳＤＲ映像を構成要素として含む放送番組である。ＨＤＲ映像を表す映像データ、ＳＤＲ映像を表す映像データを、それぞれＨＤＲ映像データ、ＳＤＲ映像データと呼ぶ。
【００１３】
図２は、第１の実施形態に係る受信装置２０の輝度ダイナミックレンジを示す画面表示の一例の説明図である。放送システム１からのデータには、ＨＤＲ映像データかＳＤＲ映像データかを識別するための情報が含まれている。すなわち、本実施形態では、後に説明するように、サービス情報に含まれるＭＨ−ＥＩＴのビデオコンポーネント記述子（Ｖｉｄｅｏ＿Ｃｏｍｐｏｎｅｎｔ＿Ｄｅｓｃｒｉｐｔｏｒ（））に、映像信号の伝達特性を識別する情報として映像信号伝達特性（ｖｉｄｅｏ＿ｔｒａｎｓｆｅｒ＿ｃｈａｒａｃｔｅｒｉｓｔｉｃｓ）を設けている。受信装置２０は、このビデオコンポーネント記述子の映像信号伝達特性から、受信している番組がＨＤＲ放送番組かＳＤＲ放送番組かを判別する。そして、受信装置２０は、番組の切り替わり又はチャンネルの切り替わりで、受信番組の輝度ダイナミックレンジを示すインジケータ３０１を所定時間表示する。
【００１４】
このように、本実施形態では、受信番組の輝度ダイナミックレンジを示すインジケータ３０１が表示される。これにより、ユーザーは、視聴している番組がＨＤＲ放送番組か、ＳＤＲ放送番組であるかを容易に知ることができる。また、インジケータ３０１には、後に説明するように、輝度ダイナミックレンジを示す情報が含まれているので、ユーザーは、どのくらいの明るさまで輝度が変化するかを知ることができる。
【００１５】
（送信装置の構成）
次に、本実施形態に係る送信装置１０の構成について説明する。
図３は、本実施形態に係る送信装置１０の構成を示す概略ブロック図である。
送信装置１０は、番組データとサービス情報とを多重化し、多重化した多重化ストリームを放送伝送路ＢＴに送信する。番組データには、映像データと音声データが含まれる。送信装置１０は、符号化制御部１１０、映像符号化部１２０、音声符号化部１３０、サービス情報取得部１４０、多重化部１５０、暗号化部１６０および送信部１７０を含んで構成される。
【００１６】
符号化制御部１１０は、映像符号化部１２０に入力される映像データの符号化処理、音声符号化部１３０に入力される音声データの符号化処理を制御する。符号化制御部１１０は、映像データで表される輝度値、当該輝度値が示す番組毎の輝度範囲を検出する。符号化制御部１１０は、例えば、検出した輝度範囲が所定のＳＤＲの輝度範囲を超えるときＨＤＲ形式を選択し、検出した輝度範囲が所定のＳＤＲの輝度範囲を超えないときＳＤＲ形式を選択する。符号化制御部１１０は、映像符号化部１２０に選択した形式を指示する。
なお、符号化制御部１１０は、音声符号化部１３０には所定の形式（例えば、ＩＳＯ／ＩＥＣ  １４４９６−３  ＭＰＥＧ−４  ＡＵＤＩＯで規定されたデータ形式）を指示する。
符号化制御部１１０は、選択した映像データならびに音声データのデータ形式の情報と検出した輝度範囲の情報をサービス情報取得部１４０に出力する。
【００１７】
映像符号化部１２０は、入力される映像データを所定の符号化方式（例えば、ＩＳＯ／ＩＥＣ  ２３００８−２  ＨＥＶＣ：Ｈｉｇｈ  Ｅｆｆｉｃｉｅｎｃｙ  Ｖｉｄｅｏ  Ｃｏｄｉｎｇ）を用いて符号化する。映像符号化部１２０は、符号化によって得られた映像符号化データを含み、符号化制御部１１０が指示する形式を有する映像データを生成する。映像符号化部１２０は、生成した映像データを多重化部１５０に出力する。
【００１８】
音声符号化部１３０は、入力される音声データを所定の符号化方式（例えば、ＩＳＯ／ＩＥＣ  １４４９６−３  ＭＰＥＧ−４  ＡＵＤＩＯ）を用いて符号化する。音声符号化部１３０は、符号化によって得られた音声符号化データを含み、符号化制御部１１０が指示する形式を有する音声データを多重化部１５０に出力する。
【００１９】
サービス情報取得部１４０は、符号化制御部１１０から入力されたデータ形式の情報と輝度範囲の情報に基づいてサービス情報を生成する。サービス情報とは、番組の提供形態、構成など放送サービスの提供に関する情報である。サービス情報は、例えば、ＭＭＴ（ＭＰＥＧ  Ｍｅｄｉａ  Ｔｒａｎｓｐｏｒｔ）方式におけるＭＭＴ−ＳＩ（Ｓｅｒｖｉｃｅ  Ｉｎｆｏｒｍａｔｉｏｎ）に含まれる。ＭＭＴ−ＳＩには、例えば、ＭＰＴ（ＭＭＴ  Ｐａｃｋａｇｅ  Ｔａｂｌｅ；ＭＭＴパッケージテーブル）、ＭＨ−ＥＩＴ（ＭＨ−Ｅｖｅｎｔ  Ｉｎｆｏｒｍａｔｉｏｎ  Ｔａｂｌｅ、ＭＨ−イベント情報テーブル）が含まれる。ＭＰＴは、番組の構成要素であるアセット、つまり映像、音声のリストや、それらの提供条件を示す情報を含むデータテーブルである。
【００２０】
ＭＨ−ＥＩＴは、番組毎にその番組に関する情報、例えば、番組の名称、放送日時、放送内容の説明などを示す情報を含むデータテーブルである。本実施形態では、ＭＨ−ＥＩＴのビデオコンポーネント記述子（Ｖｉｄｅｏ＿Ｃｏｍｐｏｎｅｎｔ＿Ｄｅｓｃｒｉｐｔｏｒ（））に、映像信号伝達特性（ｖｉｄｅｏ＿ｔｒａｎｓｆｅｒ＿ｃｈａｒａｃｔｅｒｉｓｔｉｃｓ）が含まれる。
【００２１】
サービス情報取得部１４０は、取得したサービス情報を所定時間（例えば、０．１〜０．５ｍｓ）毎に多重化部１５０に出力する。サービス情報は、番組の進行に応じて更新される。更新されない場合には、同一のサービス情報が複数回繰り返される。これにより、受信装置２０は、任意の時点で受信した放送信号に基づいて番組を提示することができる。
なお、サービス情報取得部１４０には、他の機器から予め生成されたサービス情報が入力されてもよい。
【００２２】
多重化部１５０には、映像符号化部１２０から入力される映像データ、音声符号化部１３０から入力される音声データおよびサービス情報取得部１４０から入力されるサービス情報を多重化して所定の形式（例えば、ＭＭＴ形式）を有する多重化ストリームを生成する。多重化部１５０は、生成した多重化ストリームを暗号化部１６０に出力する。なお、多重化部１５０には、他の機器から映像データと音声データのいずれかまたは両方が入力されてもよい。他の機器からの映像データの形式が映像符号化部１２０からの映像データの形式と同様であれば、映像符号化部１２０は省略されてもよい。他の機器からの音声データの形式が音声符号化部１３０からの音声データの形式と同様であれば、音声符号化部１３０は省略されてもよい。
【００２３】
暗号化部１６０は、多重化部１５０から入力された多重化ストリームを所定の暗号化方式（例えば、ＡＥＳ：Ａｄｖａｎｃｅｄ  Ｅｎｃｒｙｐｔｉｏｎ  Ｓｔａｎｄａｒｄ）を用いて暗号化する。暗号化部１６０は、暗号化により得られた暗号化データを送信部１７０に出力する。
【００２４】
送信部１７０は、暗号化部１６０から入力された暗号化データを変調して所定の周波数帯域を有する放送信号を生成する。送信部１７０は、生成した放送信号を放送伝送路ＢＴに送信する。放送信号は、放送波として伝送される。よって、番組データとサービス情報を多重化した多重化ストリームを搬送する放送信号が放送伝送路ＢＴを介して伝送される。送信部１７０は、例えば、送信器を含んで構成される。なお、番組データとその番組に係るサービス情報とが整合していれば、送信される番組データは必ずしもその時点において送信装置１０に入力された番組データでなくてもよい。番組データが送信される時点は、予め送信装置１０が備える記憶部に記憶され、送信装置１０に入力されるスケジュールデータが示す番組毎の放送時間に基づいて指示されてもよい。
【００２５】
（受信装置の構成）
次に、本実施形態に係る受信装置２０の構成について説明する。
図４は、本実施形態に係る受信装置２０の構成を示す概略ブロック図である。
受信装置２０は、放送受信部２１０、復号部２１１、分離部２１２、入力部２１５、映像復号部２２１、表示処理部２２２、音声復号部２３１、制御部２４０、記憶部２５０、表示部２２および拡声部２３を含んで構成される。表示部２２および拡声部２３の一方または両方は、受信装置２０の本体と着脱可能であってもよい。
【００２６】
放送受信部２１０には、制御部２４０の選局部２４１からの選局信号が入力される。放送受信部２１０は、選局信号で指示されるチャンネルで伝送される放送信号を受信する。
放送受信部２１０は、例えば、放送波を受信するチューナーを含んで構成される。チューナーは、選局信号で指定されたチャンネルに対応した周波数帯域の放送波を受信する。放送受信部２１０は、受信した放送信号を復調し、復調により得られた暗号化データを復号部２１１に出力する。
【００２７】
復号部２１１は、放送受信部２１０から入力される暗号化データを所定の復号方式を用いて復号する。所定の復号方式は、暗号化部１６０が用いた暗号化方式に対応する復号方式である。復号部２１１は、復号により得られた多重化ストリームを分離部２１２に出力する。
【００２８】
分離部２１２は、復号部２１１から入力される多重化ストリームから番組データとサービス情報とを分離する。また、分離部２１２は、番組データから映像データと音声データとを分離する。分離部２１２は、分離した映像データを映像復号部２２１に出力し、分離した音声データを音声復号部２３１に出力する。分離部２１２は、分離したサービス情報をサービス情報処理部２４２に出力する。
【００２９】
入力部２１５には、ユーザーの操作によって生成された操作信号が入力される。入力部２１５は、例えば、リモートコントローラＲＣからの操作信号を赤外線で受信する赤外線インタフェースを含んで構成される。操作信号は、例えば、電源のオン／オフ、放送波を受信するチャンネル、輝度や輝度範囲などの情報を指定する。入力部２１５は、操作信号を制御部２４０に出力する。なお、入力部２１５は、ユーザーの操作を受け付けるための物理的な部材、例えば、各種のボタン、つまみなどを含んで構成され、操作に応じた操作信号を生成してもよい。入力部２１５は、入力された操作信号を制御部２４０に出力する。
【００３０】
映像復号部２２１は、入力された映像データについて所定の映像復号方式を用いて復号する。所定の映像復号方式は、映像符号化部１２０が用いた符号化方式に対応する復号方式である。映像復号部２２１は、復号後の映像データを表示処理部２２２に出力する。
【００３１】
表示処理部２２２は、映像復号部２２１から入力された映像に表示情報生成部２４３から入力された表示情報を重畳して表示映像を生成する。表示処理部２２２は、生成した表示映像を示す映像データを表示部２２に出力する。
本実施形態では、表示情報生成部２４３から表示処理部２２２に、輝度ダイナミックレンジに関する情報が送られてくる。そして、表示処理部２２２は、この輝度ダイナミックレンジに関する情報を基に、輝度ダイナミックレンジを示すインジケータ３０１を生成する。
【００３２】
表示部２２は、表示処理部２２２から入力される映像データに基づく映像を表示する。表示部２２は、例えば、液晶ディスプレイ（ＬＣＤ：Ｌｉｑｕｉｄ  Ｃｒｙｓｔａｌ  Ｄｉｓｐｌａｙ）、有機ＥＬ（Ｅｌｅｃｔｒｏｌｕｍｉｎｅｓｃｅｎｃｅ）ディスプレイ等である。有機ＥＬディスプレイは、有機発光ダイオード（ＯＬＥＤ：Ｏｒｇａｎｉｃ  Ｌｉｇｈｔ  Ｅｍｉｔｔｉｎｇ  Ｄｉｏｄｅ）を発光素子として有するディスプレイである。表示部２２としては、ＨＤＲ映像の全輝度範囲の輝度が表示可能なディスプレイが用いられる。
【００３３】
音声復号部２３１は、入力された音声データについて所定の音声復号方式を用いて復号する。所定の音声復号方式は、音声符号化部１３０が用いた符号化方式に対応する復号方式である。音声復号部２３１は、復号後の音声データを拡声部２３に出力する。
【００３４】
拡声部２３は、音声復号部２３１から入力される音声データに基づく音声を再生する。拡声部２３は、例えば、スピーカを含んで構成される。
【００３５】
制御部２４０は、受信装置２０の動作に係る各種の制御を行う。制御部２４０は、選局部２４１、サービス情報処理部２４２および表示情報生成部２４３を含んで構成される。
【００３６】
選局部２４１は、入力部２１５から入力された操作信号から放送信号を受信するチャンネルを識別する。選局部２４１は、識別したチャンネルを指示する選局信号を生成し、生成した選局信号を放送受信部２１０に出力する。
【００３７】
サービス情報処理部２４２は、分離部２１２から入力されるサービス情報に基づいて番組の提示に係る種々の制御を行う。サービス情報処理部２４２は、サービス情報からＭＨ−ＥＩＴを抽出し、ＭＨ−ＥＩＴから、ビデオコンポーネント記述子（Ｖｉｄｅｏ＿Ｃｏｍｐｏｎｅｎｔ＿Ｄｅｓｃｒｉｐｔｏｒ（））を抽出して、表示情報生成部２４３に出力する。
【００３８】
表示情報生成部２４３は、ビデオコンポーネント記述子（Ｖｉｄｅｏ＿Ｃｏｍｐｏｎｅｎｔ＿Ｄｅｓｃｒｉｐｔｏｒ（））にパラメータとして記載されている映像信号伝達特性（ｖｉｄｅｏ＿ｔｒａｎｓｆｅｒ＿ｃｈａｒａｃｔｅｒｉｓｔｉｃｓ）を検出し、この映像信号伝達特性の情報から、輝度ダイナミックレンジに関する情報を生成する。表示情報生成部２４３は、輝度ダイナミックレンジに関する情報を表示処理部２２２に出力する。
【００３９】
記憶部２５０は、制御部２４０で用いられる設定データ、制御部２４０において取得されたデータなど各種のデータを記憶する。記憶部２５０は、各種の記憶媒体を含んで構成される。
【００４０】
（ＭＨ−ＥＩＴ）
次に、サービス情報に含まれるＭＨ−ＥＩＴのデータ構造について説明する。図５は、本実施形態に係るＭＨ−ＥＩＴのデータ構造の一例を示す図である。
【００４１】
図５に示すように、ＭＨ−ＥＩＴには、テーブル識別子（ｔａｂｌｅ＿ｉｄ）、セクションシンタクス指示（ｓｅｃｔｉｏｎ＿ｓｙｎｔａｘ＿ｉｎｄｉｃａｔｏｒ）、セクション長（ｓｅｃｔｉｏｎ＿ｌｅｎｇｔｈ）、サービス識別（ｓｅｒｖｉｃｅ＿ｉｄ）、バージョン番号（ｖｅｒｓｉｏｎ＿ｎｕｍｂｅｒ）、カレントネクスト指示（ｃｕｒｒｅｎｔ＿ｎｅｘｔ＿ｉｎｄｉｃａｔｏｒ）、セクション番号（ｓｅｃｔｉｏｎ＿ｎｕｍｂｅｒ）、最終セクション番号（ｌａｓｔ＿ｓｅｃｔｉｏｎ＿ｎｕｍｂｅｒ）、ＴＬＶストリーム識別（ｔｌｖ＿ｓｔｒｅａｍ＿ｉｄ）、オリジナルネットワーク識別（ｏｒｉｇｉｎａｌ＿ｎｅｔｗｏｒｋ＿ｉｄ）、セグメント最終セクション番号（ｓｅｇｍｅｎｔ＿ｌａｓｔ＿ｓｅｃｔｉｏｎ＿ｎｕｍｂｅｒ）、最終テーブル識別（ｌａｓｔ＿ｔａｂｌｅ＿ｉｄ）、イベント識別（ｅｖｅｎｔ＿ｉｄ）、開始時間（ｓｔａｒｔ＿ｔｉｍｅ）、継続時間（ｄｕｒａｔｉｏｎ）、進行状態（ｒｕｎｎｉｎｇ＿ｓｔａｔｕｓ）、スクランブル（ｆｒｅｅ＿ＣＡ＿ｍｏｄｅ）、記述子ループ長（ｄｅｓｃｒｉｐｔｏｒｓ＿ｌｏｏｐ＿ｌｅｎｇｔｈ）、記述子領域（ｄｅｓｃｒｉｐｔｏｒ（））、ＣＲＣ（ＣＲＣ＿３２）を含んでいる。
【００４２】
テーブル識別子には、各テーブルを識別するための情報が記述される。セクションシンタクス指示には、常に１が記述される。セクション長には、セクション長フィールドの直後からＣＲＣ（Ｃｙｃｌｉｃ  Ｒｅｄｕｎｄａｎｃｙ  Ｃｈｅｃｋ）を含むセクションの最後までのセクションのバイト数を規定する情報が記述される。サービス識別には、ＴＬＶストリーム内の他のサービスからこのサービスを識別するためのラベルの役割をする情報が記述される。バージョン番号には、サブテーブルのバージョン番号が記述される。カレントネクスト指示には、サブテーブルが現在のサブテーブルであることを示す情報、又は、送られるサブテーブルがまだ適用されず、次のサブテーブルとして使用されることを示す情報が記述される。セクション番号には、セクションの番号を表す情報が記述される。ＴＬＶストリーム識別には、ＥＩＴが示すこのＴＬＶストリームをその分配システム内の他の多重から識別するラベルの役割をする情報が記述される。オリジナルネットワーク識別には、元の分配システムのネットワーク識別を規定するラベルの役割をする情報が記述される。セグメント最終セクション番号には、サブテーブルのこのセグメントの最後のセクションの番号を規定する情報が記述される。最終テーブル識別には、使用されている最終のテーブル識別する情報が記述される。イベント識別には、記載されているイベントの識別番号を示す情報が記述される。開始時間には、イベントの開始時間、すなわち放送番組の開始時間を日本標準時（ＪＳＴ）と修正ユリウス日で示す情報が記述される。継続時間には、イベントの継続時間、すなわち放送番組の放送時間長を時、分、秒で表す情報が記述される。進行状態には、イベントの状態を示す情報が記述される。スクランブルには、そのイベント内の全てのコンポーネントストリームがスクランブルされていないことを示す情報、又は、一つ以上のストリームへのアクセスがＣＡ（Ｃｏｎｄｉｔｉｏｎａｌ  Ａｃｃｅｓｓ）システムにより制御されていることを示す情報が記述される。記述子ループ長には、後続の記述子の全バイト長を示す情報が記述される。記述子領域は、番組に関する各種の情報を表す記述子を格納する領域である。記述子領域には、例えば、ビデオコンポーネント記述子（Ｖｉｄｅｏ＿Ｃｏｍｐｏｎｅｎｔ＿Ｄｅｓｃｒｉｐｔｏｒ（））が含まれる。ＣＲＣには、ＩＴＵ-Ｔ勧告Ｈ．２２２．０に従う情報が記述される。
【００４３】
なお、記述子領域には、ＭＨ−拡張形式イベント記述子（ＭＨ−Ｅｘｔｅｎｄｅｄ＿Ｅｖｅｎｔ＿Ｄｅｓｃｒｉｐｔｏｒ（））が含まれてもよい。ＭＨ−拡張形式イベント記述子には、各番組に関する詳細情報が記述される。詳細情報には、番組の表題、出演者、制作者、などの情報を含むことができる。
【００４４】
（ビデオコンポーネント記述子）
次に、ビデオコンポーネント記述子のデータ構造について説明する。図６は、本実施形態に係るビデオコンポーネント記述子のデータ構造の一例を示す図である。
図６に示す例では、ビデオコンポーネント記述子（Ｖｉｄｅｏ＿Ｃｏｍｐｏｎｅｎｔ＿Ｄｅｓｃｒｉｐｔｏｒ（））は、記述子タグ（ｄｅｓｃｒｉｐｔｏｒ＿ｔａｇ）、記述子長（ｄｅｓｃｒｉｐｔｏｒ＿ｌｅｎｇｔｈ）、ビデオ解像度（ｖｉｄｅｏ＿ｒｅｓｏｌｕｔｉｏｎ）、ビデオアスペクト比（ｖｉｄｅｏ＿ａｓｐｅｃｔ＿ｒａｔｉｏ）、ビデオスキャンフラグ（ｖｉｄｅｏ＿ｓｃａｎ＿ｆｌａｇ）、ビデオフレームレート（ｖｉｄｅｏ＿ｆｒａｍｅ＿ｒａｔｅ）、コンポーネントタグ（ｃｏｍｐｏｎｅｎｔ＿ｔａｇ）、映像信号伝達特性（ｖｉｄｅｏ＿ｔｒａｎｓｆｅｒ＿ｃｈａｒａｃｔｅｒｉｓｔｉｃｓ）、および言語コード（ＩＳＯ＿６３９＿ｌａｎｇｕａｇｅ＿ｃｏｄｅ）を含んで構成される。
【００４５】
記述子タグは、当該記述子がビデオコンポーネント記述子であることを示すタグ（識別子）である。記述子長は、当該記述子のバイト長を示す。ビデオ解像度は、ビデオ信号の垂直方向の解像度を表す。ビデオアスペクト比は、ビデオ信号のアスペクト比を表す。ビデオスキャンフラグは、ビデオ信号がインターレース信号かプログレシブ信号かを表す。ビデオフレームレートは、ビデオ信号のフレームレートを表す。コンポーネントタグは、コンポーネントストリートを識別するためのラベルである。言語コードは、コンポーネントの言語及びこの記述子に含まれる文字記述の言語を識別する。映像信号伝達特性は、映像の伝達特性、つまり輝度値（画像輝度）と輝度（光学輝度）との関係を示す４ビットの情報フラグである。映像信号伝達特性には、番組で提供される映像の特性に応じて０〜１５のいずれかの整数値が設定される。
【００４６】
図７は、映像信号伝達関数の値とその意味の関係を示す。そのうち、映像信号伝達特性の値が４であるとは、ＶＵＩ（Ｖｉｄｅｏ  Ｕｓａｂｉｌｉｔｙ  Ｉｎｆｏｒｍａｔｉｏｎ）の伝達関数（ｔｒａｎｓｆｅｒ＿ｃｈａｒａｃｔｅｒｉｓｔｉｃｓ）の設定値が１６で指定される伝達関数、つまりＳＭＰＴＥ  ＳＴ  ２０８４に規定のＨＤＲ映像用の伝達関数を意味する。映像信号伝達特性の値が５であるとは、ＶＵＩの伝達関数の設定値が１８で指定される伝達関数、つまりＡＲＩＢ  ＳＴＤ−Ｂ６７に規定のＨＤＲ映像用の伝達関数を意味する。従って、サービス情報処理部２４２は、映像信号伝達関数の値が４または５である場合、放送される映像の輝度範囲がＨＤＲであると判定することができる。また、サービス情報処理部２４２は、映像信号伝達関数の値がそれ以外の値、例えば、１〜３のいずれかの値である場合、放送される映像の輝度範囲がＳＤＲであると判定することができる。
【００４７】
なお、ＳＭＰＴＥ  ＳＴ  ２０８４によれば、ＳＤＲの最大輝度である基準白レベル（ｒｅｆｅｒｅｎｃｅ  ｗｈｉｔｅ）を示すＨＤＲデータの輝度値は５１２（１０ビットの場合）と規定され、基準黒レベル（ｂｌａｃｋ）を示すＨＤＲデータの輝度値の最小値は６４（１０ビットの場合）と規定されている。従って、輝度設定部２４４は、映像信号伝達関数の値が４である場合には、ＨＤＲデータ所定の基準黒レベル、基準白レベルを示す輝度値をそれぞれ６４、５１２（１０ビットの場合）と設定することができる。また、ＡＲＩＢ  ＳＴＤ−Ｂ６７によれば、ＳＤＲの最大輝度である基準白レベルを示すＨＤＲデータの輝度値は５０２（１０ビットの場合）と規定され、基準黒レベルを示すＨＤＲデータの輝度値の最小値は６４（１０ビットの場合）と規定されている。従って、表示情報生成部２４３は、映像信号伝達関数の値が５である場合には、ＨＤＲデータ所定の基準黒レベル、基準白レベルを示す輝度値をそれぞれ６４、５０２（１０ビットの場合）と設定することができる。
【００４８】
（輝度情報取得処理）
次に、本実施形態に係る輝度ダイナミックレンジ情報表示処理について説明する。本実施形態では、受信装置２０は、ビデオコンポーネント記述子の映像信号伝達特性から、受信している番組がＨＤＲ映像データかＳＤＲ映像データかを判別し、番組の切り替わり又はチャンネルの切り替わりで、図２に示したように、輝度ダイナミックレンジを示すインジケータ３０１を所定時間表示している。図８は、輝度ダイナミックレンジの表示処理を示すフローチャートである。
【００４９】
（ステップＳ１０１）サービス情報処理部２４２はＭＨ−ＥＩＴを検出し、ＭＨ−ＥＩＴを検出すると（ステップＳ１０１：ＹＥＳ）、ＭＨ−ＥＩＴを表示情報生成部２４３に送り、処理をステップＳ１０２に進める。
【００５０】
（ステップＳ１０２）サービス情報処理部２４２は、ＭＨ−ＥＩＴの記述子領域から１個の記述子を抽出する。初回に抽出される記述子は、記述子領域の先頭に記述される記述子である。その後、ステップＳ１０３に進む。
（ステップＳ１０３）サービス情報処理部２４２は、抽出した記述子の記述子タグ（ｄｅｓｃｒｉｐｔｏｒ＿ｔａｇ）に記述された記述子タグがビデオコンポーネント記述子のタグと一致するか否かを判定する。これにより、抽出した記述子がビデオコンポーネント記述子であるか否かが判定される。一致すると判定するとき（ステップＳ１０３：ＹＥＳ）、ステップＳ１０４の処理に進む。一致しないと判定するとき（ステップＳ１０３：ＮＯ）、ステップＳ１０２の処理に戻る。
【００５１】
（ステップＳ１０４）サービス情報処理部２４２は、ビデオコンポーネント記述子を表示情報生成部２４３に送る。表示情報生成部２４３は、ビデオコンポーネント記述子に記載された映像信号伝達特性（ｖｉｄｅｏ＿ｔｒａｎｓｆｅｒ＿ｃｈａｒａｃｔｅｒｉｓｔｉｃｓ）を抽出し、ステップＳ１０５に進む。
【００５２】
（ステップＳ１０５）表示情報生成部２４３は、映像信号伝達特性（ｖｉｄｅｏ＿ｔｒａｎｓｆｅｒ＿ｃｈａｒａｃｔｅｒｉｓｔｉｃｓ）から、輝度ダイナミックレンジの情報を取得し、処理をステップＳ１０６に進める。すなわち、表示情報生成部２４３は、映像信号伝達関数の値が４または５なら、輝度ダイナミックレンジは、ＨＤＲ映像データであるとする。映像信号伝達関数の値がそれ以外の値、例えば、１〜３のいずれかの値である場合、放送される映像の輝度範囲がＳＤＲであると判定する。
【００５３】
（ステップＳ１０６）表示情報生成部２４３は、番組の切替えのタイミングか否かを判定し、番組の切替えのタイミングでなければ（ステップＳ１０６：ＮＯ）、処理をステップＳ１０７に進め、番組の切替えのタイミングなら（ステップＳ１０６：ＹＥＳ）、処理をステップＳ１０８に進める。
【００５４】
（ステップＳ１０７）表示情報生成部２４３は、チャンネル切替えのタイミングか否かを判定し、チャンネル切替えのタイミングでなければ（ステップＳ１０７：ＮＯ）、処理をステップＳ１０１に戻し、チャンネルの切替えのタイミングなら（ステップＳ１０７：ＹＥＳ）、処理をステップＳ１０８に進める。
【００５５】
（ステップＳ１０８）表示情報生成部２４３は、輝度ダイナミックレンジを示すインジケータ３０１の表示処理を表示処理部２２２に出力する。表示処理部２２２は、輝度ダイナミックレンジを示すインジケータ３０１を映像復号部２２１からの映像信号に重畳する。
【００５６】
（輝度ダイナミックレンジの表示）
次に、本実施形態に係る受信装置２０における輝度ダイナミックレンジの表示について説明する。
図９は、ダイナミックレンジ表示画面の一例の説明図であり、図１０は、輝度ダイナミックレンジ表示画面の一例での輝度ダイナミックレンジの識別の説明図である。図９及び図１０に示す例では、インジケータ３０１は、受信している番組がＨＤＲ放送かＳＤＲ放送かを示すロゴ３０２ａ及び３０２ｂである。すなわち、受信している番組がＨＤＲ映像データの番組なら、図９（Ａ）に示すように、「ＨＤＲ」のロゴ３０２ａが表示される。受信している番組がＳＤＲ映像データの番組なら、図９（Ｂ）に示すように、「ＳＤＲ」のロゴ３０２ｂが表示される。
【００５７】
ロゴ３０２ａ及び３０２ｂは、図１０に示すように、黒色のバックグランドに白地で表示され、文字の白色の部分３０３と背景の黒色の部分３０４とから構成されている。白色の部分３０３は、その放送番組での最大輝度で表示され、黒色の部分３０４はその放送番組での最小輝度で表示される。
【００５８】
受信している番組がＨＤＲ映像データなら、図１０（Ａ）に示すように、「ＨＤＲ」のロゴ３０２ａが表示され、このロゴ３０２ａの白色の部分３０３がＨＤＲ映像データでの最大輝度で表示され、黒色の部分３０４がＨＤＲ映像データでの最小輝度で表示される。受信している番組がＳＤＲ映像データなら、図１０（Ｂ）に示すように、「ＳＤＲ」のロゴ３０２ｂが表示され、このロゴ３０２ｂの白色の部分３０３がＳＤＲ映像データでの最大輝度で表示され、黒色の部分３０４がＳＤＲ映像データでの最小輝度で表示される。ユーザーは、このロゴ３０２ａ及び３０２ｂから、現在、ＨＤＲ放送の受信中であるかＳＤＲ放送の受信中であるかを認識できる。また、ロゴ３０２ａ及び３０２ｂの白色の部分３０３と黒色の部分３０４の輝度から、輝度ダイナミックレンジを認識できる。
【００５９】
なお、この例では、受信している番組がＨＤＲ映像データなら「ＨＤＲ」のロゴを表示し、受信している番組がＳＤＲ映像データなら「ＳＤＲ」のロゴを表示しているが、受信している番組がＨＤＲ映像データの場合のみ「ＨＤＲ」のロゴを表示しても良い。
【００６０】
図１１は、ダイナミックレンジ表示画面の他の例の説明図であり、図１２は、輝度ダイナミックレンジ表示画面の他の例での輝度ダイナミックレンジの識別の説明図である。図１１及び図１２に示す例では、インジケータ３０１は、ロゴとグレースケールである。
【００６１】
すなわち、受信している番組がＨＤＲ映像データなら、図１１（Ａ）に示すように、「ＨＤＲ」のロゴ３１２ａと、グレースケール３１３ａが表示される。グレースケール３１３ａには、図１２（Ａ）に示すように、ＨＤＲ映像データの輝度の範囲で、輝度の階調が表示される。受信している番組がＳＤＲ映像データなら、図１１（Ｂ）に示すように、「ＳＤＲ」のロゴ３１２ｂと、グレースケール３１３ｂが表示される。グレースケール３１３ｂには、図１２（Ｂ）に示すように、ＳＤＲ映像データの輝度の範囲で、輝度の階調が表示される。
【００６２】
ユーザーは、ロゴ３１２ａ及び３１２ｂの表示から、現在、ＨＤＲ放送の受信中であるかＳＤＲ放送の受信中であるかを認識できる。また、グレースケール３１３ａ及び３１３ｂから、この放送番組の画面の輝度ダイナミックレンジを認識できる。
【００６３】
図１３は、ダイナミックレンジ表示画面の更に他の例の説明図であり、図１４は、輝度ダイナミックレンジ表示画面の更に他の例での輝度ダイナミックレンジの識別の説明図である。図１３及び図１４に示す例では、インジケータ３０１は、チャンネルを示すロゴ３２２ａ及び３２２ｂである。チャンネルの切替え時に、チャンネルを示すロゴ３２２ａ及び３２２ｂが表示される。
【００６４】
ロゴ３２２ａ及び３２２ｂは、図１４に示すように、黒色のバックグランドに白地で表示され、文字の白色の部分３２３と背景の黒色の部分３２４とから構成されている。白色の部分３２３は、その放送番組での最大輝度で表示され、黒色の部分３２４はその放送番組での最小輝度で表示される。
【００６５】
受信している番組がＨＤＲ映像データなら、図１４（Ａ）に示すように、受信チャンネル「ＢＳ１」のロゴ３２２ａが表示され、このロゴ３２２ａの白色の部分３２３がＨＤＲ映像データでの最大輝度で表示され、黒色の部分３２４がＨＤＲ映像データでの最小輝度で表示される。受信している番組がＳＤＲ映像データなら、図１４（Ｂ）に示すように、受信チャンネル「ＢＳ１」のロゴ３２２ｂが表示され、このロゴ３２２ｂの白色の部分３２３がＳＤＲ映像データでの最大輝度で表示され、黒色の部分３２４がＳＤＲ映像データでの最小輝度で表示される。ユーザーは、ロゴ３２２ａ及び３２２ｂから、設定チャンネルを認識できる。また、ロゴ３２２ａ及び３２２ｂの白色の部分３２３と黒色の部分３２２の輝度から、この放送番組の画面の輝度ダイナミックレンジを認識できる。
【００６６】
なお、上述の説明で、最大輝度は、その番組の放送での最大輝度でも良いし、規格上の最大輝度でも良い。また、最小輝度は、その番組の放送での最小輝度でも良いし、規格上の最小輝度でも良い。
【００６７】
また、輝度ダイナミックレンジを示すインジケータ３０１は、番組の切り替わり又はチャンネルの切り替わりで、所定時間、表示された後に、消去される。また、輝度ダイナミックレンジを示すインジケータ３０１は、ユーザーのリモートコントローラＲＣの操作によって、表示又は消去させるようにしても良い。
【００６８】
なお、放送システム１の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００６９】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００７０】
１…放送システム、１０…送信装置、１１０…符号化制御部、１２０…映像符号化部、１３０…音声符号化部、１４０…サービス情報取得部、１５０…多重化部、１６０…暗号化部、１７０…送信部、２０…受信装置、２２…表示部、２３…拡声部、２１０…放送受信部、２１１…復号部、２１２…分離部、２１５…入力部、２２１…映像復号部、２２２…表示処理部、２３１…音声復号部、２４０…制御部、２４１…選局部、２４２…サービス情報処理部、２４３…表示情報生成部
【図１】
2017184206.tif 000003
【図２】
2017184206.tif 000004
【図３】
2017184206.tif 000005
【図４】
2017184206.tif 000006
【図５】
2017184206.tif 000007
【図６】
2017184206.tif 000008
【図７】
2017184206.tif 000009
【図８】
2017184206.tif 000010
【図９】
2017184206.tif 000011
【図１０】
2017184206.tif 000012
【図１１】
2017184206.tif 000013
【図１２】
2017184206.tif 000014
【図１３】
2017184206.tif 000015
【図１４】
2017184206.tif 000016